(57)【特許請求の範囲】
【請求項１】
下部走行体上に上部旋回体が旋回自在に搭載され、上記上部旋回体を構成するアッパーフレームは、底板と、この底板上に間隔を置いて設けられたフロアプレートを有し、このフロアプレートよりも後方で上記アッパーフレーム上にシートスタンドが設けられ、このシートスタンド上に運転席が設けられるとともに、上記シートスタンドにおける上記運転席の左右少なくとも一側の前端部に、油圧アクチュエータを操作するリモコン弁が設けられ、このリモコン弁とこれによって作動する油圧バルブとがパイロットホースによって接続された建設機械の配索構造において、
上記シートスタンドの上面における上記リモコン弁が設けられた前端部に、上記運転席が設けられる基準面から段差を持って低くなる段落ち部であって上記リモコン弁の下方に上記パイロットホースが通される配索空間を形成する段落ち部が設けられ、
上記段落ち部は、先下がりに傾斜して上記パイロットホースを前側に導く底面と、当該底面の後ろ側に位置して前方を向く段差部分と、を有し、
当該段差部分に他のホースまたは配線が通されるホース等通し穴が設けられていることを特徴とする建設機械の配索構造。
【請求項２】
上記リモコン弁及び段落ち部は、運転席に対する乗降口と反対側でシートスタンド上面の前端部に設けられ、このリモコン弁によって作動する油圧バルブが、上記底板とフロアプレートとの間の床下空間に設置され、上記パイロットホースは、上記配索空間からシートスタンド前面沿いに下降して床下に入るルートで配索されていることを特徴とする請求項１記載の建設機械の配索構造。
【発明の詳細な説明】
【技術分野】
【０００１】
本発明は油圧ショベル等の建設機械において、運転席横に設けられたリモコン弁とこれによって作動する油圧バルブとを結ぶパイロットホースの配索構造に関するものである。
【背景技術】
【０００２】
本発明の好適例である小型の油圧ショベル(所謂ミニショベル)を例にとって背景技術を説明する。
【０００３】
この種の油圧ショベルは、図６に示すようにクローラ式の下部走行体１上に上部旋回体２が地面に対して垂直となる軸Ｘのまわりに旋回自在に搭載され、この上部旋回体２の前部に、ブーム３、アーム４、バケット５、及びこれらを作動させる油圧アクチュエータ（ブーム、アーム、バケット各シリンダ）６,７,８を備えた作業アタッチメントＡが取付けられて構成される。
【０００４】
上部旋回体２はアッパーフレーム９を備え、このアッパーフレーム９上にシートスタンド１０、このシートスタンド１０上に運転席１１がそれぞれ設けられる一方、各種操作装置、エンジン及びその関連機器等が搭載される。
【０００５】
図６中、１２は運転席１１を上から覆うキャノピである。なお、キャノピ１２に代えてキャビンが設けられ、このキャビン内にシートスタンド１０及び運転席１１が設けられる場合(キャビン仕様)もある。
【０００６】
アッパーフレーム９は、図７に示すように底板１３、及びこの底板１３上に間隔を置いて配置されたフロアプレート１４を備えている。
【０００７】
このアッパーフレーム９の前部左側の床下、すなわち、底板１３とフロアプレート１４との間に床下空間Ｓが形成され、この床下空間Ｓに、各油圧アクチュエータの作動を個別に制御する油圧パイロット切換式の複数の制御弁の集合体である多連式のコントロールバルブ１５が設置されている(特許文献１，２参照)。
【０００８】
なお、この明細書における「前後」「左右」は、運転席１１に着座したオペレータから見た方向性をいう。
【０００９】
コントロールバルブ１５は、たとえばアッパーフレーム底板１２上に取付けられ、各制御弁が、シートスタンド１０上に設けられたリモコン弁１６の操作によって作動する。
【００１０】
図７中、１７は床下空間Ｓの後方に垂直に設けられた仕切り壁で、この仕切り壁１７によって運転席１１(シートスタンド１０)の下方にエンジンルーム１８が区画形成される。
【先行技術文献】
【特許文献】
【００１１】
【特許文献１】特開２００８−３１８１７号公報
【特許文献２】特開２００２−２２７２４９号公報
【発明の概要】
【発明が解決しようとする課題】
【００１２】
リモコン弁１６は、シートスタンド上面の前端部において運転席１１を挟んで左右両側に設けられ、このリモコン弁１６とコントロールバルブ１５がパイロットホースＨによって接続される。
【００１３】
この場合、コントロールバルブ１５が床下空間Ｓに設置されたショベルにおいて、右側、すなわち、運転席１１に対する乗降口と反対側のリモコン弁１６(以下でいう「リモコン弁」はすべてこの右側リモコン弁を指す)とコントロールバルブ１５とを結ぶパイロットホースＨの配索に関して次のような問題があった。
【００１４】
リモコン弁１６は、オペレータが最も操作し易い位置として高さ方向、前後及び左右方向の各位置が設定され、この設定位置でリモコン弁１６の下面(ホース接続口)とシートスタンド上面との間が配索空間として決まる。
【００１５】
そして、この配索空間は、図示のように高さ方向に狭くなってしまうため、この狭いスペースで多数のパイロットホースＨを鋭角のＶ曲げ状態で配索しなければならない。
【００１６】
このため、この曲げ部分の継手構造が複雑となり、部品単価が高くなるだけでなく、組立ラインでの工数が増えて生産効率が悪くなる。
【００１７】
なお、対策として、シートスタンド上面に配索穴を明け、パイロットホースＨをこの配索穴からエンジンルーム１８内に下ろしてコントロールバルブまで配索することが考えられる。
【００１８】
しかし、こうすると、エンジンルーム内機器が配索の障害となったり、熱、音の漏洩を防ぐためのシール構造が必要となったり、ホースＨからの油漏れによる引火防止策を講じたりしなければならない等、種々の弊害が生じるため、得策でない。
【００１９】
そこで本発明は、リモコン弁下方の配索空間を高さ方向に拡大し、パイロットホースを簡単な継手構造により、エンジンルームを通らないルートで油圧バルブに向けて容易に配索することができる建設機械の配索構造を提供するものである。
【課題を解決するための手段】
【００２０】
上記課題を解決する手段として、本発明においては、下部走行体上に上部旋回体が旋回自在に搭載され、上記上部旋回体を構成するアッパーフレームは、底板と、この底板上に間隔を置いて設けられたフロアプレートを有し、このフロアプレートよりも後方で上記アッパーフレーム上にシートスタンドが設けられ、このシートスタンド上に運転席が設けられるとともに、上記シートスタンドにおける上記運転席の左右少なくとも一側の前端部に、油圧アクチュエータを操作するリモコン弁が設けられ、このリモコン弁とこれによって作動する油圧バルブとがパイロットホースによって接続された建設機械の配索構造において、上記シートスタンドの上面における上記リモコン弁が設けられた前端部に、上記運転席が設けられる基準面から段差を持って低くなる段落ち部であって上記リモコン弁の下方に上記パイロットホースが通される配索空間を形成する段落ち部が設けられ、上記段落ち部は、先下がりに傾斜して上記パイロットホースを前側に導く底面と、当該底面の後ろ側に位置して前方を向く段差部分と、を有し、当該段差部分に他のホースまたは配線が通されるホース等通し穴が設けられているものである。
【００２１】
この構成によると、従来の配索空間(リモコン弁下面と基準面との間の空間)に、段落ち部による配索空間が加えられて、配索に使用できるリモコン弁下方の空間が高さ方向に大幅に拡大されるため、パイロットホースを、緩やか、かつ、少ない曲げで、エンジンルーム外を通るルートで容易に配索することができる。
【００２２】
これにより、継手構造を簡素化し、部品単価を安くできるとともに、組立ラインでの工数を減らして生産効率を上げることができる。
【００２３】
また、エンジンルーム内を通す場合のような配索障害の問題も、引火防止策や防音、遮熱のためのシール構造を付加する必要もない。
【００２４】
さらに、エンジンルーム外で配索するため、パイロットホースのメンテナンス性も良くなる。
【００２５】
しかも、段落ち加工によって配索空間を形成するため、シートスタンドの必要強度と剛性を確保することができる。
【００２６】
本発明において、上記リモコン弁及び段落ち部は、運転席に対する乗降口と反対側でシートスタンド上面の前端部に設けられ、このリモコン弁によって作動する油圧バルブが上記底板とフロアプレートとの間の床下空間に設置され、上記パイロットホースが上記配索空間からシートスタンド前面沿いに下降して床下空間に入るルートで配索されているのが望ましい(請求項２)。
【００２７】
「乗降口と反対側」とは、通常の建設機械では右側であり、運転席右側に設けられたリモコン弁のパイロットホースを右前端部からシートスタンド前面に沿って床下空間に下りるルートで配索することになる。
【００２８】
この構成によれば、油圧バルブが床下空間に設置される建設機械において、パイロットホースが、運転席に座ったオペレータの足元空間を侵食したり、操作や乗り降りの邪魔になったりするおそれがない。
【００２９】
また、パイロットホースがシートスタンド前面側に配索されるため、当該パイロットホースのメンテナンス性がさらに良いものとなる。
【００３０】
本発明においては、上記段落ち部の底面が先下がりに傾斜していることから、パイロットホースを、段落ち部底面の傾斜に沿った緩やかなカーブ状に無理なく配索できるため、配索が一層容易となる。
【００３１】
一方、上記段落ち部の段差部分に、他のホースまたは配線が通されるホース等通し穴が設けられているので、段落ち部による配索空間を他のホース等(たとえばキャビン仕様で設置されるエアコン用のホースや配線)のための配索、配索空間として有効利用することができる。
【発明の効果】
【００３２】
本発明によると、リモコン弁下方の配索空間を高さ方向に拡大し、パイロットホースを簡単な継手構造により、エンジンルームを通らないルートで油圧バルブに向けて容易に配索することができる。
【図面の簡単な説明】
【００３３】
【図１】本発明の実施形態に係る配索構造を示す斜視図である。
【図２】図１のＩＩ−ＩＩ線に沿う拡大側断面図である。
【図３】図２の一部拡大図である。
【図４】実施形態に係るシートスタンドの正面図である。
【図５】同、部分斜視図である。
【図６】本発明の適用対象となる小型ショベルの概略側面図である。
【図７】従来の配索構造を示す側断面図である。
【発明を実施するための形態】
【００３４】
実施形態は小型ショベルを適用対象としている。
【００３５】
実施形態において、次の点は図６，７に示す公知技術と同じである。
【００３６】
(Ｉ)  上部旋回体のアッパーフレーム１９上にシートスタンド２０、このシートスタンド２０上に運転席２１がそれぞれ設けられるとともに、各種操作装置、エンジン及びその関連機器等が搭載される点。
【００３７】
(ＩＩ)  アッパーフレーム１９は、底板２２、及びこの底板２２上に間隔を置いて配置されたフロアプレート２３を備え、この両者間に形成された床下空間Ｓに多連式のコントロールバルブ２４が設置される点。
【００３８】
(ＩＩＩ)  コントロールバルブ２４は、アッパーフレーム底板２２上に取付けられ、各制御弁が、シートスタンド２０上に設けられたリモコン弁２５の操作によって作動する点。
【００３９】
(ＩＶ)  リモコン弁２５は、シートスタンド上面の前端部において運転席２１を挟んで左右両側(図１には右側リモコン弁２５のみを示す)に設けられ、このリモコン弁２５とコントロールバルブ２４がパイロットホースＨによって接続される点。
【００４０】
(Ｖ)    床下空間Ｓの後方に仕切り壁２６が垂直に取付けられ、この仕切り壁２６によって運転席２１(シートスタンド２０)の下方にエンジンルーム２７が形成される点。
【００４１】
実施形態においては、右側(乗降口と反対側)のリモコン弁２５とコントロールバルブ２４とを結ぶパイロットホースＨの配索構造について、次の構成がとられている。
【００４２】
リモコン弁２５の下方に当たるシートスタンド上面の右前端部に、運転席２１が設けられた基準面Ｂ(図３参照)から前方に向かって段差を持って低くなる段落ち加工を施すことによって段落ち部２８が設けられている。
【００４３】
この段落ち部２８によって、リモコン弁下方に、パイロットホースＨが通される配索空間Ｃ(図３参照)が形成され、リモコン弁２５の下面側(ホース接続口)に接続されたパイロットホースＨが、配索空間Ｃからシートスタンド前面沿いに下降して床下空間Ｓに入り、仕切り壁２６の前面側を通ってコントロールバルブ２４に至るルートで配索されている。
【００４４】
いいかえれば、段落ち部２８は、このルートでパイロットホースＨを配索するのに必要十分な深さ及び幅寸法を持った配索空間Ｃが形成される状態で設けられている。
【００４５】
図２，５中、２９はパイロットホースＨを床下空間Ｓに導入するためのパイロットホース導入穴である。
【００４６】
また、段落ち部２８の底面(低位面)２８ａは、緩やかな角度で前下がりに傾斜する傾斜面として形成され(図２，３参照)、パイロットホースＨが、この傾斜に沿った緩やかなカーブを描いて配索空間Ｃ内を通る。
【００４７】
一方、段落ち部２８の段差部分２８ｂ(図の複雑化を避けるために図２，３，５のみに符号を付している)に配線通し穴３０が設けられ、他のホース等、たとえばキャビン仕様において設置されるエアコン用のホース及び配線３１(図２，３参照)がこのホース等通し穴３０を通って配索される。
【００４８】
ホース等通し穴３０は、パイロットホースＨとできるだけ干渉しないように、段差部分２８ｂの幅方向の中心から左側にずれた位置に設けられている(図１，４，５参照)。
【００４９】
なお、ホース等通し穴３０は、図示のように横長の長穴としてもよいし、縦長の長穴としても、また丸穴としてもよい。さらに、丸穴または長穴として複数設けてもよい。
【００５０】
この構成によると、従来の配索空間(基準面Ｂとリモコン弁２５との間の空間)に、段落ち部２８による配索空間Ｃが加えられて、配索に使用できるリモコン弁下方の空間が高さ方向に大幅に拡大されるため、パイロットホースＨを、図示のように緩やか、かつ、少ない曲げで、エンジンルーム２７外を通るルートで容易に配索することができる。
【００５１】
これにより、継手構造を簡素化し、部品単価を安くできるとともに、組立ラインでの工数を減らして生産効率を上げることができる。
【００５２】
また、エンジンルーム２７内を通す場合のような配索障害の問題も、引火防止策や防音、遮熱のためのシール構造を付加する必要もない。
【００５３】
さらに、エンジンルーム２７外で配索するため、パイロットホースＨのメンテナンス性も良くなる。
【００５４】
しかも、段落ち加工によって配索空間Ｃを形成するため、シートスタンド２０の必要強度と剛性を確保することができる。
【００５５】
また、パイロットホースＨを、配索空間Ｃからシートスタンド前面沿いに下降して床下空間Ｓに入るルートで配索するため、パイロットホースＨが、運転席２１に座ったオペレータの足元空間を侵食したり、操作や乗り降りの邪魔になったりするおそれがない。
【００５６】
加えて、シートスタンド前面側に配索するため、パイロットホースＨのメンテナンス性がさらに良いものとなる。
【００５７】
さらに、パイロットホースＨを、段落ち部底面２８ａの傾斜に沿った緩やかなカーブ状に無理なく配索できるため、配索が一層容易となる。
【００５８】
一方、段落ち部２８の段差部分２８ｂにホース等通し穴３０を設けているため、段落ち部２８による配索空間Ｃをエアコン用のホースや配線といった他のホース等のための配索、配索空間として有効利用することができる。
【００５９】
他の実施形態
(１)  上記実施形態では、右側リモコン弁２５用のパイロットホースＨを配索するための構造として説明したが、左側リモコン弁用のパイロットホースについても必要に応じて実施することができる。
【００６０】
また、下部走行体の前方に設けられるドーザを操作するためのリモコン弁がシートスタンド２０に設けられる油圧ショベルにおいて、リモコン弁とこれによって作動する油圧バルブ(ドーザ制御弁)とを結ぶパイロットホース用の配索構造についても上記同様に実施することができる。
【００６１】
(２)  上記実施形態では、パイロットホースＨをシートスタンド前面側に通すように段落ち部２８を前向きに設けたが、パイロットホースＨをシートスタンド側面側に通す場合には、段落ち部２８を横向きに設ければよい。
【００６２】
(３)  本発明は油圧ショベルに限らず、ショベルを転用して構成される解体機や破砕機等、ショベルと同様にシートスタンドに設けられたリモコン弁とこれによって作動する油圧バルブとを結ぶパイロットホースを有する建設機械にも上記同様に適用することができる。
【符号の説明】
【００６３】
１９  アッパーフレーム
２０  シートスタンド
Ｂ  シートスタンドの基準面
２１  運転席
２２  アッパーフレーム底板
２３  フロアプレート
２４  コントロールバルブ
２５  リモコン弁
２８  段落ち部
２８ａ  段落ち部底面
２８ｂ  同、段差部分
Ｃ  配索空間
３０  ホース等通し穴
３１  ホース等
【図１】
0005850021.tif 000002
【図２】
0005850021.tif 000003
【図３】
0005850021.tif 000004
【図４】
0005850021.tif 000005
【図５】
0005850021.tif 000006
【図６】
0005850021.tif 000007
【図７】
0005850021.tif 000008